(57)【要約】【課題】一体感のある外観性を確保するとともにいろいろな吐水形態を楽しむことができ、さらに施工しやすいシャワー装置を提供することを目的とする。【解決手段】上下方向に延設された１本のパイプに、給水管および給湯管との接続部を上下に配置して設け、かつ、この給水管および給湯管との接続部を通過した湯水を混合する湯水混合部を、湯水混合部の長手方向が縦向きとなるようにパイプ内に配置し、さらに、このパイプに湯水混合部と連通する吐水部を備え、さらに、湯水混合部から吐水部までの通水路に流量調整弁を備えてなることを特徴とするシャワー装置とした。【選択図】　図１
2004129740.tif 000002
【特許請求の範囲】
【請求項１】
上下方向に延設された１本のパイプに、給水管および給湯管との接続部を上下に配置して設け、
この給水管および給湯管との接続部を通過した湯水を混合する湯水混合部を、湯水混合部の長手方向が縦向きとなるようにパイプ内に配置し、
このパイプに湯水混合部と連通する吐水部を備え、さらに、湯水混合部から吐水部までの通水路に流量調整弁を備えてなることを特徴とするシャワー装置。
【請求項２】
前記パイプ内径は、湯水混合部の外径と略同一であることを特徴とする請求項１に記載のシャワー装置。
【請求項３】
前記湯水混合部は、サーモスタットより構成されていることを特徴とする請求項１または２に記載のシャワー装置。
【請求項４】
前記パイプ内に配置した湯水混合部の下方に周方向に回転する温度調整ハンドルを設けてなることを特徴とする請求項１乃至３のいずれか１つに記載のシャワー装置。
【請求項５】
前記パイプの外径は、全長に亘り略同径であることを特徴とする請求項１乃至４のいずれか１つに記載のシャワー装置。
【発明の詳細な説明】
【０００１】
【発明の属する技術分野】
本発明は、シャワー装置に関する。
【０００２】
【従来の技術】
従来、浴室やシャワールーム等で設置されるシャワー装置には、湯水混合栓本体から可撓性のシャワーホースを分岐し、このシャワーホース先端にシャワーノズルを設けたものがある。
そして、湯水混合栓に設けたカランもしくはシャワーノズルのいずれかを選択して吐水する構成となっている。
この従来のシャワー装置では、シャワーホースが床に垂れ下がり、洗体したときの湯水やあか等が床を流れるときにシャワーホースに付着するため、シャワーホースが汚れてしまうおそれがあった。また、シャワーホースが使用時に床に垂れ下がった状態となるので邪魔となるおそれもあった。
【０００３】
そのため、このシャワーホースが床に垂れ下がらず、またシャワー装置の使用勝手を向上させた技術として、実開平２−１１２７５８号がある。
このシャワー装置は、給水管と給湯管が同高さに壁から取り出され、それに湯水混合栓が接続されている。そして、この湯水混合栓の裏面側から給湯管を立ち上げてトップシャワーヘッドとハンドシャワーヘッドに分岐する分岐部を横方向に延設して、この分岐部にそれぞれのシャワーヘッドへの吐水流量調整つまみを設けている。
このように、湯水混合栓から立ち上げた給湯管の途中からハンドシャワーヘッドに連通するシャワーホースを分岐しているため、シャワーホースが床に垂れ下がるおそれが低減されるのである。また、この従来技術のシャワー装置においては、ハンドシャワーだけでなく、トップシャワーもできるだけ、いろいろなシャワー形態を楽しむことができる。
【０００４】
また、いろいろなシャワー形態を楽しめるシャワー装置としては、実開昭６３−１９７４８８号がある。
このシャワー装置は、給水管と給湯管が同高さに壁から取り出され、それに湯水混合栓が接続されている。そして、この湯水混合栓の裏面側にハンドシャワーノズルに連通したシャワーホースを接続し、さらに湯水混合栓から立ち上げた給湯管に対して横方向にボディシャワー装置を設けている。そして、このボディーシャワー装置からもシャワーを吐水することができるようになっている。
【０００５】
【発明が解決しようとする課題】
しかしながら、これらのシャワーホースの床への垂れ下がりに対して配慮したシャワー装置やいろいろなシャワー形態を持つシャワー装置は、湯水混合栓からの立ち上げ給湯管（垂直方向に配置）に対して、湯水混合栓、分岐部やボディーシャワー装置など（水平方向に配置）がクロスして配置されており、シャワー装置として一体感がなく、また、外観形状が複雑となり清掃性が悪いといった問題点がある。
【０００６】
また、外観性を向上させたシャワー装置として、実開平６−６６４８４号のように、シャワーパネル内に給湯管や機能部等を組み込んだ隠蔽タイプのものもある。
しかしながら、このシャワー装置の場合、設置スペースを確保しなければならないこと、また、設置する室内空間が狭くなってしまうこと、さらには、壁に固定するために壁の強度を確保しなければならず大掛かりな施工が伴なってしまうこと、等の問題がある。
【０００７】
そこで、本発明では上記の問題点を解決するため、一体感のある外観性を確保するとともにいろいろな吐水形態を楽しむことができ、さらに施工しやすいシャワー装置を提供することを目的とする。
【０００８】
【課題を解決するための手段および作用・効果】
本発明の請求項１では、上下方向に延設された１本のパイプに、給水管および給湯管との接続部を上下に配置して設け、この給水管および給湯管との接続部を通過した湯水を混合する湯水混合部を、湯水混合部の長手方向が縦向きとなるようにパイプ内に配置し、このパイプに湯水混合部と連通する吐水部を備え、さらに、湯水混合部から吐水部までの通水路に流量調整弁を備えてなることを特徴とするシャワー装置とした。
【０００９】
これにより、主として１本の縦長のパイプ内に湯水混合部ならびに吐水部を形成することができる。そのため、従来のように、湯水混合部と他の吐水部とを別々に配置したり、湯水混合部が横方向に長く延設し、吐水部が縦方向に長く延設して外観が複雑形状となることもないため、一体感のある外観性を確保することができ、また、清掃しやすく、総合的に使用者に快適性を提供することができる。
また、縦長としたので、設置スペースを小さくすることができる。
さらに、室内側だけの施工で設置することができるので、短時間にしかも簡単に設置工事が行なえ、設置コストの削減を図ることができる。
【００１０】
本発明の請求項２では、前記パイプ内径は、湯水混合部の外径と略同一であることを特徴とする請求項１に記載のシャワー装置とした。
【００１１】
これにより、パイプに湯水混合部を挿入し、水密性を保つことができる。そのため、湯水混合部からの通水路を水密を保って形成しやすい。
さらに、パイプの内径を湯水混合部の外径に合わせることで、パイプ自体の径を大きくする必要がないため、シャワー装置本体の外観形状をスリムとすることができる。
【００１２】
本発明の請求項３では、前記湯水混合部は、サーモスタットより構成されていることを特徴とする請求項１または２に記載のシャワー装置とした。
【００１３】
これにより、従来のサーモスタット機構を採用して縦形に配置することで、本シャワー装置用に特別に湯水混合部を作る必要がない。そのため、従来の湯水混合部を利用して安価に本シャワー装置を製造して、あたらしいシャワー生活を提供することができる。
【００１４】
本発明の請求項４では、前記パイプ内に配置した湯水混合部の下方に周方向に回転する温度調整ハンドルを設けてなることを特徴とする請求項１乃至３のいずれか１つに記載のシャワー装置とした。
【００１５】
これにより、温度調整を簡単に操作することができる。
特に、複数の吐水部を湯水混合部の上方に配置する場合に、湯水混合部からの通水経路をそのままパイプ内の上方に立ち上げればよく、通水経路を形成しやすい。
特に、サーモスタット機構を採用することで、従来の水栓を縦向きに配置し、さらに流量調整ハンドルを設けていた部分にパイプを延設させて通水路を形成させることができる。そのため、従来の湯水混合部を利用して安価に本シャワー装置を製造して、あたらしいシャワー生活を提供することができる。
【００１６】
本発明の請求項５では、前記パイプの外径は、全長に亘り略同径であることを特徴とする請求項１乃至４のいずれか１つに記載のシャワー装置とした。
【００１７】
これにより、シャワー装置本体の外観をより一体感ある形状にまとめることができる。
【００１８】
【発明の実施の形態】
以下に図面を参照して本発明をより具体的に説明する。
図１に本発明のシャワー装置１の外観図を示す。
このシャワー装置１は、上下方向に伸び延設する１本のパイプ６に対して、湯水混合部７と複数の吐水部を備えている。
そして、このパイプ６は、全長に亘り、ほぼ同一径の外観形状としており、かつ、内径は湯水混合部７の外径と略同一径としている。
図１のシャワー装置１においては、吐水部は、カラン２とハンドシャワーノズル３とヘッドシャワーノズル４から構成されている。
そして、湯水混合部７を挟んで、下方にカラン２を設置し、上方にハンドシャワーノズル３とヘッドシャワーノズル４とを設置している。
湯水混合部７の下方に温度調整ハンドル８を設け、さらにその下にカラン２が設置している。
そして、湯水混合部７の上方には、シャワー用流量調整ハンドル１０が設けられている。
なお、湯水混合部７の横には、フック２３を膨出して設けている。
図２は、図１のシャワー装置１を浴室のカウンター２２上に設置した場合の使用状態図を示している。
なお、図示しないが、浴室の洗い場やシャワールームの床から立ち上げるようにしてもよい。
【００１９】
図３のシャワー装置１においては、吐水部は、ボディシャワーノズル５とハンドシャワーノズル３とヘッドシャワーノズル４から構成されている。
そして、湯水混合部７の上方に吐水部は位置するように構成されている。
図３のシャワー装置１においては、シャワールームなどの立って使用する場合に好適と言える。
【００２０】
次に、図４は、給水管と給湯管の接続部１７、１８から流れてきた湯水が湯水混合部７で適温に混合されて、この湯水混合部７から各吐水部までの通水経路を示している。
図４では、壁から給水管と給湯管を室内に取込んだ場合を示しているが、床から給水管と給湯管を立ち上げた場合も同様である。
まず、給水管と給湯管の接続部１７、１８から供給された湯水は、湯水混合部７で混合される。
また、この湯水混合部７の下方に隣接して配置した温度調整ハンドル８を周方向に回転させて湯温を調整する。
この湯水混合部７で適温になった湯水は、各吐水部２、３、４、５の流量調整弁まで各通水路Ａ、Ｂ、Ｃを経由して送られる。
つまり、湯水混合部７の上方のパイプ６内において、カラン２用の通水路Ａと、ボディシャワーノズル５用の通水路Ｃと、ハンドシャワーノズル３及びヘッドシャワーノズル４用の通水路Ｂとに通水路を３分岐されている。また、ボディシャワーノズル５を設けたパイプ６部において、ボディシャワーノズル５用の通水路Ｃと、ハンドシャワーノズル３及びヘッドシャワーノズル４用の通水路Ｂとの２経路が設けられている。
そして、各流量調整弁を開くことで、それに連通した吐水部から吐水が開始される。
なお、ハンドシャワーノズル３とヘッドシャワーノズル４との吐水においては、切替えハンドル１１により、どちらか一方を選択するようにしている。
図５乃至図６に示したように、湯水混合部７ならびに各吐水部、さらに各吐水部２、３、４、５、への通水路Ａ、Ｂ、Ｃは、ユニットとして形成している。
このように各ユニットにて構成されているため、必要な吐水部だけを選択して湯水混合部７に接続することができる。
そのため、図１のように、吐水部としてカラン２とハンドシャワーノズル３とヘッドシャワーノズル４を選択したり、図３のように、吐水部としてボディシャワーノズル５とハンドシャワーノズル３とヘッドシャワーノズル４を選択したり、使用者の好みによって吐水部を選択して簡単に組み立てることができるのである。
【００２１】
次に、図５乃至図９を用いて、湯水混合部７と各吐水部の具体的な構成を説明する。
図５は、図３のＡ部分に相当するシャワー装置の側断面図を示している。
湯水混合部７は、サーモスタット混合栓の湯水混合部７と同様に構成されている。
給水管と給湯管の接続部１７、１８が上下方向（縦方向）にパイプ６に配置されている。
さらに、この湯水混合部７を長手方向が縦向きになるようにパイプ６内に配置している。
また、この湯水混合部７の外径とパイプ６との内径を略同一としている。そして、このパイプ６の全長の径をほぼ変えることなく、１本のパイプ６を形成している。
なお、１本のパイプ６とは、途中で継ぎ足しをしたものも含む。このシャワー装置１においては、各ユニット毎に構成し、それを各パイプ６に組み付け、それらのパイプ６をさらに縦方向に積み上げて１つのシャワー装置１を構成している。
【００２２】
さて、給水管および給湯管の接続部１７、１８から湯水は、黒矢印で示すように、湯水混合部７に送られて適温になり、さらに湯水混合部７の上方に位置する吐水部へと送られる。
なお、湯温調整は、湯水混合部の下方に設けた温度調整ハンドル８を周方向に回転させて行なう。
図８は、湯と水が湯水混合部７に流れて混合され、各吐水部へ通水する通水経路を示している。
湯水混合部７の上方に位置する吐水部（ハンドシャワーノズル３、ヘッドシャワーノズル４、ボディシャワーノズル５）へはパイプ６の内部の通水路Ｂ、Ｃを経由して送られ、湯水混合部７の下側の吐水部（カラン２）へは、パイプ６裏に配置した通水路（通水管）Ａを経由して送られる。
なお、図３においては、カラン２を設けていないので、このカラン２への通水路Ａを塞いでおく。
図９は、サーモスタットによる自動温度調整機構の概略を示している。
図示するように、Ｎｉ−Ｔｉ合金などの形状記憶合金バネ２１とバイアスバネ２２との釣り合いにより、バルブ１９を制御して、湯水の混合比を調整している。
【００２３】
次に、吐水部について説明する。
吐水部は、カラン２、ハンドシャワーノズル３、ヘッドシャワーノズル４、ボディシャワーノズル５などから構成することができる。
まずカラン２について説明する。
図１に示すように、カラン２は、湯水混合部７の下方でかつシャワー装置１本体のパイプ６から前方に膨出するように設けている。
このカラン２の先端には、流量調整ハンドル９を有している。この流量調整ハンドル９に連動してシリンダ弁などの流量調整弁（図示せず）が開閉し、吐水・止水をおこなうことができる。
このようにカラン２の先端に流量調整ハンドル９を設けているため、風呂椅子に座って流量調整ハンドル９に楽な姿勢でアプローチしカラン２からの吐水を行なうことができる。
なお、このカラン２からの吐水の温度調整は、上方に設置した湯水混合部７にて行なわれる。
そして、湯水混合部７からの通水は、図４に示すように、パイプ６の背面の外側に配置した固定部１６内に設けた通水路（通水管）Ａにより行なう。
なお、このカラン２は、水平に膨出させても、斜めに膨出させてもよく、また、膨出させる長さも自由に変更してもよい。
【００２４】
次に、図６、７を用いて、湯水混合部７よりも上方に位置する吐水部（ボディシャワーノズル５とハンドシャワーノズル３とヘッドシャワーノズル４）について説明する。
まず、ボディシャワーノズル５について説明する。
ボディシャワーノズル５は、立った状態で、上半身の縦方向の広範囲に吐水を行なうためのものである。
そのため、図３に示すようにこのボディシャワーノズル５は、パイプ６の中間部である切替えハンドル１１とシャワーノズル用流量調整ハンドル１０との間の前方に上下に複数の吐水口５ａを形成することで構成されている。
図６には、湯水混合部７からの湯水がボディシャワーノズル５まで通水する通水路を示す。なお、白矢印がその流れ方向を示している。
図６（Ｂ）の横断面図に示すように、シャワーノズル用流量ハンドル１０（流量調整弁１０ａ）を回避してその外周に形成された通水路１０ｂを通って、ボディシャワー用流量調整ハンドル１４（流量調整弁１４ａ）に通水される。
なお、各流量調整弁１０ａ、１４ａは、シリンダ弁から構成されている。
そして、ボディシャワー用流量調整ハンドル１４（流量調整弁１４ａ）を経由して、ボディシャワーノズル５へと通水される。
【００２５】
次に、ハンドシャワーノズル３とヘッドシャワーノズル４からの吐水について説明する。
図１乃至３に示すように、ハンドシャワーノズル３とヘッドシャワーノズル４は、切替えハンドル１１にて切り替える可能としている。
そして、シャワーノズル用流量調整ハンドル１０にて吐水流量を調整する。
このシャワーノズル用流量調整ハンドル１０は、湯水混合部７の上方に隣接して配置しているので、風呂椅子に座った状態でハンドシャワーノズル３からの吐水を行ないたい場合に、楽な姿勢でシャワーノズル用流量調整ハンドル１０を操作することができ、また、立った状態でも操作しやすい位置にある。
なお、ハンドシャワーノズル３は、パイプ６から膨出して設けたフック２３に引っ掛けておくことが可能である。
【００２６】
シャワー装置１本体のパイプ６の中間部における側方に分岐金具１２を設けて、この分岐金具１２にシャワーホース１３の一端を接続し、そのシャワーホース１３の他端をハンドシャワーノズル３に接続している。
このハンドシャワーノズル３には、複数の吐水形態が選択できるように吐水切替操作部を有している。また、ハンドシャワーノズル３には、止水・吐水を行なう操作ボタン３ａが握手部に設けられている。
【００２７】
一方、ヘッドシャワーノズル４は、シャワー装置１本体のパイプ６の上端に設けられいる。
なお、このヘッドシャワーノズル４は、パイプ６に対して、回転自在に配置してもよい。
また、ヘッドシャワーノズル４は、内部に大きく３つの吐水群１５を配置しており、この吐水群１５は、すべて同じ吐水形態としても、また、すべて異なる吐水形態としてもよい。
さらに、この吐水形態を１つずつ選択できるようにしてもよく、さらには、ここの吐水群の吐水方向を変えられるようにしてもよい。
【００２８】
なお、シャワー装置１本体のパイプ６の中間部（分岐金具１２を設けた場所）の前方に切替えハンドル１１を設けている。そして、この切替えハンドル１１により、ハンドシャワーノズル３とヘッドシャワーノズル４からの吐水の切替えを行なう。
そして、この切替えハンドル１１は、引っ張ることで、弁体１１ａが後から前に（図では左から右に）動き、通水経路を切り替えて、ハンドシャワーノズル３からヘッドシャワーノズル４へと吐水を切り替える構成となっている。そして、ダイバーター機構を用いることで、一旦止水したときには、必ずハンドシャワーノズル３から吐水するようにしている。これにより、パイプ６内に溜まった冷たい停滞水をヘッドシャワーノズル４から不用意に吐水するおそれがない。
この切替えハンドル１１のダイバーター機構について、図７に基づき説明する。
この切替えハンドル１１の引っ張ることでヘッドシャワーノズル４への通水状態とするが、このとき水圧がかかっているため、弁体１１ａはハンドシャワーノズル３の通水路を塞いだ状態（図では弁体が右側に位置した状態）で維持される。しかしながら、止水すると、水圧が下がり、ばね１１ｂの弾性力により、弁体１１ａが前から後ろへ（図では右から左へ）と動き通水路を切り替えられるのである。
【００２９】
次に、図６乃至７に基づき、ハンドシャワーノズル３とヘッドシャワーノズル４への通水路について説明する。
図６中の黒矢印がハンドシャワーノズル３とヘッドシャワーノズル４への通水路の流れを示している。まず、図５の湯水混合部７で適温となった湯水が図６の下方から流れ、シャワーノズル用流量調整ハンドル１０に流れ込む。このシャワーノズル用流量調整ハンドル１０を操作させて、流量調整弁１０ａを開くことにより、この流量調整弁１０ａよりも上方へ位置している切替えハンドル１１まで通水する。
なお、図１６（Ｂ）の構造と同様に、ボディシャワー用流量調整ハンドル１４（流量調整弁１４ａ）を避けてその外周に通水路を形成し、さらにボディシャワーノズル５の後側に通水路１１ｄを形成して、切替えハンドル１１まで通水路を形成している。
図７は、ハンドシャワーノズル３へ通水されている状態である。黒矢印がハンドシャワーノズル３への通水路の流れである。また、白矢印は、ヘッドシャワーノズル４への通水路の流れである。
なお、図１乃至図３では、切替えハンドル１１の側方に分岐金具１２を設けているが、図７に示すように、切替えハンドル１１よりも上方に分岐金具１２を設けてもよく、また分岐金具１２をパイプ６の背面の外側に配置してもよい。
【００３０】
次に、このシャワー装置１の固定構造について説明する。
シャワー装置１本体のパイプ６は、上方と湯水混合部７で固定部１６により固定している。
上方の固定部１６は、分岐金具１２よりも上方として、壁に固定している。
湯水混合部７での固定部１６は、壁給水の場合は、接続部１７、１８を給水管および給湯管に接続することで行なう。また、床給水の場合は、上方の固定と同様の固定１６で壁に固定する。
【００３１】
なお、上述した湯水混合部は、サーモスタット機構を採用した例を挙げて説明したが、従来のシングルレバーカートリッジを逆さにして上述と同様にパイプ内に配置して、湯水混合部の下方に流量調整兼温度調整ハンドルを配置し、湯水混合部の上方に吐水部を配置してシャワー装置を構成してもよい。
【００３２】
【発明の効果】
以上により、一体感のある外観性を確保するとともにいろいろな吐水形態を楽しむことができ、さらに施工しやすいシャワー装置を提供することができる。
【図面の簡単な説明】
【図１】本件発明の一実施の形態であるシャワー装置の外観図を示す。
【図２】図１のシャワー装置をカウンター上に設置した使用状態図を示す。
【図３】本件発明の他の実施の形態であるシャワー装置の外観図を示す。
【図４】図１の配管経路図を示す。
【図５】図３のＡ部分に相当するシャワー装置の側断面図を示す。
【図６】図３のＢ部分に相当するシャワー装置の側断面図を示す。
【図７】図３のＣ部分に相当するシャワー装置の側断面図を示す。
【図８】図５の湯水の流れを示す。
【図９】図５の湯水の温度調整機構を示す。
【符号の説明】
１　シャワー装置
２　カラン
３　ハンドシャワーノズル
４　ヘッドシャワーノズル
５　ボディシャワーノズル
６　パイプ
７　湯水混合部
８　温度調整ハンドル
９　カラン用流量調整ハンドル
１０　シャワーノズル用流量調整ハンドル
１１　シャワー切替えハンドル
１２　分岐金具
１３　シャワーホース
１４　ボディシャワー用流量調整ハンドル
１５　吐水口
１６　固定部
１７　給水管の接続部
１８　給湯管の接続部
１９　バルブ
２０　バイアスバネ
２１　形状記憶合金バネ
２２　カウンター
２３　フック
【図１】
2004129740.tif 000003
【図２】
2004129740.tif 000004
【図３】
2004129740.tif 000005
【図４】
2004129740.tif 000006
【図５】
2004129740.tif 000007
【図６】
2004129740.tif 000008
【図７】
2004129740.tif 000009
【図８】
2004129740.tif 000010
【図９】
2004129740.tif 000011